(57)【特許請求の範囲】
【請求項１】
通信端末装置との間で双方向のデータ通信を行う基地局装置において、
通信端末装置への下り回線の通信をｍ個のサブキャリアにデータを分散させて直交周波数分割多重（ＯＦＤＭ）で伝送するマルチキャリア信号により行う送信手段と、
通信端末装置からデータがｍ個（ｍは２以上の整数）又はｊ個（ｍより小さい整数）のサブキャリアに分散されて伝送されてくるマルチキャリア信号又はシングルキャリア信号を受信してデータを復調する受信手段と、
ｍ個のサブキャリアによるマルチキャリア信号と、ｊ個のサブキャリアだけを使用したマルチキャリア信号又はシングルキャリア信号とを判別する判別手段と、
上記判別手段の判別結果に基づいて上記受信手段により受信された受信信号に適合した復号処理を行う復号手段と、
判別動作の前に受信信号のエラーを検出するためのエラー検出手段と
を備える基地局装置。
【請求項２】
ｍ個のサブキャリアの内の特定のｊ個のサブキャリアを割り当てたマルチキャリア信号あるいは所定のサブキャリアを割り当てたシングルキャリア信号を受信してデータを復調するように上記受信手段を制御する受信制御手段をさらに備えることを特徴とする請求の範囲第１項記載の基地局装置。
【請求項３】
複数のスロットからなるフレーム内に設定された第１のスロットタイミングでデータがｍ個のサブキャリアに分散されて伝送されてくるマルチキャリア信号を受信してデータを復調し、上記フレーム内に設定された第２のスロットタイミングでデータがｊ個のサブキャリアに分散されて伝送されてくるマルチキャリア信号を受信してデータを復調するように上記受信手段を制御する受信制御手段をさらに備えることを特徴とする請求の範囲第１項記載の基地局装置。
【請求項４】
上記受信手段は、復調するマルチキャリア信号のサブキャリア数に応じた通過帯域幅のフィルタをさらに備え、上記フィルタを介して得られる受信信号からデータを復号することを特徴とする請求の範囲第１項の基地局装置。
【請求項５】
上記受信手段は、第１の通過帯域幅のフィルタと第１の通過帯域幅よりも広い第２の通過帯域幅のフィルタをさらに備え、上記第１の通過帯域幅のフィルタを介してデータがｊ個のサブキャリアに分散されて伝送されてくるマルチキャリア信号又はシングルキャリア信号を受信してデータを復調し、上記第２の通過帯域幅のフィルタを介してデータがｍ個のサブキャリアに分散されて伝送されてくるマルチキャリア信号を受信してデータを復調することを特徴とする請求の範囲第１項記載の基地局装置。
【請求項６】
基地局装置との間で双方向通信を行う通信方法であって、
基地局装置から通信端末装置への下り回線の通信を複数のサブキャリアにデータを分散させて直交周波数分割多重（ＯＦＤＭ）で伝送するマルチキャリア信号により行い、
上記通信端末装置から基地局装置への上り回線の通信を複数のサブキャリアにデータを分散させて伝送するマルチキャリア信号又はシングルキャリア信号により行い、
上記基地局装置において、マルチキャリア信号とシングルキャリア信号は判別され、判別結果に基づいて得られた受信信号に適合した復号処理を行い、上記判別処理の前に受信信号のエラーを検出するエラー検出処理を行う
ことを特徴とする通信方法。
【請求項７】
上記基地局装置への上り回線の通信を上記複数のサブキャリアの内の特定のサブキャリアを用いて行うことを特徴とする請求の範囲第６項記載の通信方法。
【請求項８】
上記基地局装置と通信端末装置との間の通信は、複数のスロットからなるフレーム内に設定されたスロットタイミングで行われ、上記通信端末装置から基地局装置への上り回線の通信は、上記フレーム内に設定された第１のスロットタイミングでマルチキャリア信号を用いて行われ、かつ、上記フレーム内に設定された第２のスロットタイミングでシングルキャリア信号を用いて行われる
ことを特徴とする請求の範囲第６項記載の通信方法。
【請求項９】
基地局装置との間で双方向通信を行う通信方法であって、
基地局装置から通信端末装置への下り回線の通信をｍ個のサブキャリアにデータを分散させて直交周波数分割多重（ＯＦＤＭ）で伝送するマルチキャリア信号により行い、
通信端末装置から基地局装置への上り回線の通信をデータがｍ個（ｍは２以上の整数）のサブキャリアに分散されて伝送されるマルチキャリア信号又はデータがｊ個（ｊはｍより小さい整数）のサブキャリアに分散されて伝送されるマルチキャリア信号により行い、
基地局装置側において、ｍ個のサブキャリアによるマルチキャリア信号と、ｊ個のサブキャリアを使用したマルチキャリア信号とを判別し、判別結果に基づいて得られた受信信号に適合した復号処理を行い、判別動作の前に受信信号のエラーを検出するためのエラー検出処理を行う
ことを特徴とする通信方法。
【請求項１０】
上記基地局装置と通信端末装置との間の通信は、複数のスロットからなるフレーム内に設定されたスロットタイミングで行われ、上記通信端末装置から基地局装置への上り回線の通信は、データがｊ個のサブキャリアに分散されて伝送されるマルチキャリア信号のみに割り当てたスロットで行われる
ことを特徴とする請求の範囲第９項記載の通信方法。
【請求項１１】
上記通信端末装置から基地局装置への上り回線の通信は、フレーム内に設定された第１のスロットタイミングでデータがｍ個のサブキャリアに分散されたマルチキャリア信号を使用して行われ、かつ、上記フレーム内に設定された第２のスロットタイミングでデータがｊ個のサブキャリアに分散されたマルチキャリア信号を使用して行われる
ことを特徴とする請求の範囲第９項記載の通信方法。
【請求項１２】
基地局装置との間で双方向通信を行う通信方法であって、
基地局装置から通信端末装置への下り回線の通信をｍ個のサブキャリアにデータを分散させて直交周波数分割多重（ＯＦＤＭ）で伝送するマルチキャリア信号により行い、
通信端末装置から基地局装置への上り回線の通信をデータがｍ個（ｍは２以上の整数）のサブキャリアに分散されて伝送されるマルチキャリア信号又はデータがｊ個（ｊはｍより小さい整数）のサブキャリアに分散されて伝送されるマルチキャリア信号により行い、
基地局装置側において、ｍ個のサブキャリアによるマルチキャリア信号と、ｊ個のサブキャリアを使用したマルチキャリア信号とを判別し、判別結果に基づいて得られた受信信号に適合した復号処理を行い、判別動作の前に受信信号のエラーを検出するためのエラー検出処理を行う
ことを特徴とする通信方法。
【請求項１３】
上記基地局装置と通信端末装置との間の通信は、フレームサイクル内に設定されたスロットタイミングで行われ、上記通信端末装置から基地局装置への上り回線の通信は、シングルキャリア信号又はデータがｊ個のサブキャリアに分散されて伝送されるマルチキャリア信号のみに割り当てたスロットで行われる
ことを特徴とする請求の範囲第１２項記載の通信方法。
【請求項１４】
上記通信端末装置から基地局装置への上り回線の通信は、フレームサイクル内に設定された第１のスロットタイミングでデータがｍ個のサブキャリアに分散されたマルチキャリア信号を使用して行われ、かつ、上記フレームサイクル内に設定された第２のスロットタイミングでデータがｊ個のサブキャリアに分散されたマルチキャリア信号又はシングルキャリア信号を使用して行われる
ことを特徴とする請求の範囲第１２項記載の通信方法。
【発明の詳細な説明】
技術分野
本発明は、例えば移動体でのデータ通信、特にマルチキャリア信号の無線伝送を行うに適用して好適な基地局装置及び通信方法に関する。
背景技術
従来、マルチメディア移動アクセスシステム（MMAC:Multimedia Mobile Access System）と称される移動体通信用のデータ通信システムが提案されている。このアクセスシステムは、光ファイバ網（BISDN）にシームレスに接続可能な高速無線アクセスシステムであり、周波数帯としては５ＧＨｚなどの比較的高い周波数帯が使用され、伝送レートは３０Ｍｂｐｓ程度で、アクセス方式としては、ＴＤＭＡ（Time Division Multiple Access）／ＴＤＤ（Time Division Duplex）（時分割多元接続/時分割双方向伝送）方式が使用される。
ところで、ＭＭＡＣのシステムなどのように、直交周波数分割多重（OFDM:Orthogonal Frequency Division Multiplex）方式と称されるマルチキャリア信号の伝送方式を適用して、複数のサブキャリアに伝送データを割り当てて、無線伝送を行う場合には、送信電力の平均電力に対するピーク電力比が大きなものになってしまう問題があった。例えば、サブキャリア数が３２であれば、単純に１０ｌｏｇ３２＝１５dBの比ができてしまう。したがって、マルチキャリア信号の伝送方式を採用した場合、伝送装置の送信部のパワーアンプは広い線形性を有する特性のものを使用する必要があり、電力効率も悪く、バッテリ駆動などによる低消費電力が要求される小型の端末装置では、負担が非常に大きくなってしまうという問題があった。
発明の開示
本発明は、上述の如きマルチキャリア信号の伝送方式における問題点に鑑み、マルチキャリア信号を双方向で伝送するに当たり、効率の良い処理が行えるようにした基地局装置及び通信方法を提供することを目的とする。
本発明は、通信端末装置との間で双方向のデータ通信を行う基地局装置において、通信端末装置への下り回線の通信をｍ個のサブキャリアにデータを分散させて直交周波数分割多重（ＯＦＤＭ）で伝送するマルチキャリア信号により行う送信手段と、通信端末装置からデータがｍ個（ｍは２以上の整数）又はｊ個（ｍより小さい整数）のサブキャリアに分散されて伝送されてくるマルチキャリア信号又はシングルキャリア信号を受信してデータを復調する受信手段と、ｍ個のサブキャリアによるマルチキャリア信号と、ｊ個のサブキャリアだけを使用したマルチキャリア信号又はシングルキャリア信号とを判別する判別手段と、上記判別手段の判別結果に基づいて上記受信手段により受信された受信信号に適合した復号処理を行う復号手段と、判別動作の前に受信信号のエラーを検出するためのエラー検出手段とを備えることを特徴とする。
また、本発明は、基地局装置との間で双方向通信を行う通信方法であって、基地局装置から通信端末装置への下り回線の通信を複数のサブキャリアにデータを分散させて直交周波数分割多重（ＯＦＤＭ）で伝送するマルチキャリア信号により行い、上記通信端末装置から基地局装置への上り回線の通信を複数のサブキャリアにデータを分散させて伝送するマルチキャリア信号又はシングルキャリア信号により行い、上記基地局装置において、マルチキャリア信号とシングルキャリア信号は判別され、判別結果に基づいて得られた受信信号に適合した復号処理を行い、上記判別処理の前に受信信号のエラーを検出するエラー検出処理を行うことを特徴とする。
また、本発明は、基地局装置との間で双方向通信を行う通信方法であって、基地局装置から通信端末装置への下り回線の通信をｍ個のサブキャリアにデータを分散させて直交分割多重（ＯＦＤＭ）で伝送するマルチキャリア信号により行い、通信端末装置から基地局装置への上り回線の通信をデータがｍ個（ｍは２以上の整数）のサブキャリアに分散されて伝送されるマルチキャリア信号又はデータがｊ個（ｊはｍより小さい整数）のサブキャリアに分散されて伝送されるマルチキャリア信号により行い、基地局装置側において、ｍ個のサブキャリアによるマルチキャリア信号と、ｊ個のサブキャリアを使用したマルチキャリア信号とを判別し、判別結果に基づいて得られた受信信号に適合した復号処理を行い、判別動作の前に受信信号のエラーを検出するためのエラー検出処理を行うことを特徴とする。
さらに、本発明は、基地局装置との間で双方向通信を行う通信方法であって、基地局装置から通信端末装置への下り回線の通信をｍ個のサブキャリアにデータを分散させて直交周波数分割多重（ＯＦＤＭ）で伝送するマルチキャリア信号により行い、通信端末装置から基地局装置への上り回線の通信をデータがｍ個（ｍは２以上の整数）のサブキャリアに分散されて伝送されるマルチキャリア信号又はデータがｊ個（ｊはｍより小さい整数）のサブキャリアに分散されて伝送されるマルチキャリア信号により行い、基地局装置側において、ｍ個のサブキャリアによるマルチキャリア信号と、ｊ個のサブキャリアを使用したマルチキャリア信号とを判別し、判別結果に基づいて得られた受信信号に適合した復号処理を行い、判別定動作の前に受信信号のエラーを検出するためのエラー検出処理を行うことを特徴とする。
【図面の簡単な説明】
図１は、本発明を適用したデータ通信システムを示す構成図である。
図２は、上記データ通信システムにおけるＭＭＡＣ基地局装置の構成を示すブロック図である。
図３は、上記データ通信システムにおけるＭＭＡＣ端末装置の構成を示すブロック図である。
図４は、上記ＭＭＡＣ端末装置として用いられる通信端末装置の要部構成を示すブロック図である。
図５は、上記データ通信システムにおけるフレーム構成例を示す説明図である。
図６は、上記ＭＭＡＣ端末装置として用いられる他の通信端末装置の要部構成を示すブロック図である。
図７は、図６に示した通信端末装置によりアクセスする場合のフレーム構成の例を示す説明図である。
図８は、上記データ通信システムにおいて、低速専用スロットを用意した場合のフレーム構成の説明図である。
図９は、上記データ通信システムにおいて、低速，高速兼用スロットを用意した場合のフレーム構成の説明図である。
図１０は、上記ＭＭＡＣ基地局装置として用いられる基地局装置の要部構成を示すブロック図である。
図１１は、図１０に示した基地局装置における判定・選択回路の具体的な構成例を示すブロック図である。
図１２は、上記データ通信システムおける制御シーケンスの例を示す説明図である。
図１３は、上記ＭＭＡＣ端末装置として用いられる他の通信端末装置の要部構成を示すブロック図である。
図１４は、上記ＭＭＡＣ基地局装置として用いられる他の基地局装置の要部構成を示すブロック図である。
図１５は、図１３に示した通信端末装置によりアクセスする場合のフレーム構成の例を示す説明図である。
図１６は、上記ＭＭＡＣ基地局装置として用いられる他の基地局装置の要部構成を示すブロック図である。
図１７Ａ及び図１７Ｂは、図１６に示した基地局装置での受信帯域の例を示す説明図である。
発明を実施するための最良の形態
本発明は、例えば図１に示すような構成のデータ通信システムに適用される。
この図１に示したデータ通信システムは、マルチメディア移動アクセスシステム（MMAC:Multimedia Mobile Access System）と称される移動体通信用のデータ通信システムである。このアクセスシステムは、光ファイバ網（BISDN:Broardband Aspects of integrated Services Digital Network）にシームレスに接続可能な高速無線アクセスシステムであり、周波数帯としては５ＧＨｚなどの比較的高い周波数帯が使用され、伝送レートは３０Ｍｂｐｓ程度で、アクセス方式としては、ＴＤＭＡ（Time Division Multiple Access）／ＴＤＤ（Time Division Duplex）（時分割多元接続/時分割双方向伝送）が使用される。
図１に示したデータ通信システムは、インターネット網に接続させるＩＰ（Internet Protocol）接続と称されるサービスを行うもので、インターネット網１２に接続された各種コンテンツサーバ１１と、ＩＳＤＮ（又は一般の電話回線）１３或いは光ファイバ網１４経由で通信が行われるＭＭＡＣ基地局装置１５を備える。この基地局装置１５は、ユーザ網インターフェース（UNI:User Network Interface）によりＩＳＤＮ１３又は光ファイバ網１４に接続される。
ＭＭＡＣ基地局装置１５は、上述した伝送方式により携帯情報端末装置１６と無線通信を行い、この基地局装置１５に接続された回線１３，１４と携帯情報端末装置１６との通信の中継を行う。
ＭＭＡＣ基地局装置１５は、例えば図２に示すような構成となっている。この図２に示したＭＭＡＣ基地局装置１５は、非同期転送モード（ATM:Asynchronus Transfer Mode）で通信が行われる光ファイバ網１４にインターフェース部１５ａを介して接続されるＡＴＭ網回線制御部１５ｂ、このＡＴＭ網回線制御部１５ｂにＡＴＭセル分解／組立部１５ｃを介して接続されたＭＭＡＣチャンネルコーディング／デコーディング部１５ｄ、上記ＡＴＭ網回線制御部１５ｂ及びＭＭＡＣチャンネルコーディング／デコーディング部１５ｄにバスラィン１５ｆが接続された中央制御装置（CPU:Central Processing Unit）１５ｅ、上記ＭＭＡＣチャンネルコーディング／デコーディング部１５ｄに変調部１５ｇを介して接続された送信部１５ｈ、上記ＭＭＡＣチャンネルコーディング／デコーディング部１５ｄに復調部１５ｋを介して接続された受信部１５ｊ、上記送信部１５ｈ及び受信部１５ｊに接続されたアンテナ１５ｉなどからなる。
このＭＭＡＣ基地局装置１５において、インターフェース部１５ａは、光ファイバ網１４に接続されたユーザ網インターフェース（UNI:User Network Interface）であり、ＡＴＭで伝送されるデータ（ＡＴＭセル）の多重化を行う。
このインターフェース部１５ａに接続されたＡＴＭ網回線制御部１５ｂは、ＡＴＭ網との呼接続などの回線制御を行う。ＡＴＭ網回線制御部１５ｂに接続されたＡＴＭセル分解／組立部１５ｃは、ＡＴＭ網側からのＡＴＭセルの分解及び網側に送出するＡＴＭセルの組立を行う。
ＡＴＭセル分解／組立部１５ｃで分解されたＡＴＭ網側からのデータは、ＭＭＡＣチャンネルコーディング／デコーディング部１５ｄに送られ、ＭＭＡＣの無線伝送フォーマットにデコードされ、このデコードされたデータが変調部１５ｇによりＱＰＳＫ変調などで変調処理され、送信部１５ｈで周波数変換や増幅などの送信処理が行われて、アンテナ１５ｉから端末装置に対して無線送信される。
また、端末装置側から送信された信号は、アンテナ１５ｉを介して受信部１５ｊで受信され、復調部１５ｋで受信データの復調が行われる。復調された受信データは、ＭＭＡＣチャンネルコーディング／デコーディング部１５ｄでデコーディング処理が行われ、さらに、ＡＴＭセル分解／組立部１５ｃでＡＴＭセルとして組み立てられて、ＡＴＭ網回線制御部１５ｂの制御によりインターフェース部１５ａから光ファイバ網１４に送出される。
なお、ＭＭＡＣ基地局装置１５でのこれらの処理は、中央制御装置１５ｅからバスライン１５ｆを介した制御で実行される。
ＭＭＡＣ端末装置である携帯情報端末装置１６は、例えば図３に示すような構成となっている。この図３に示した携帯情報端末装置１６は、アンテナ１６ａに接続された受信部１６ｂ及び送信部１６ｆ、復調部１６ｃを介して上記受信部１６ｂに接続されるとともに変調部１６ｅを介して上記送信部１６ｆに接続されたＭＭＡＣチャンネルコーディング／デコーディング部１６ｄ、上記ＭＭＡＣチャンネルコーディング／デコーディング部１６ｄに接続された中央制御装置（CPU:Central Processing Unit）１６ｇ、上記中央制御装置１６ｇに接続された操作部１６ｈ及びデジタル信号処理部（DSP:Digital Signal Processor）１６ｋ、上記中央制御装置１６ｇ及びデジタル信号処理部１６ｋに接続された液晶ドライバ１６ｉ、上記液晶ドライバ１６ｉに接続された液晶ディスプレイ１６ｊ、上記デジタル信号処理部１６ｋに接続されたスピーカ１６ｍなどからなる。
この携帯情報端末装置１６では、ＭＭＡＣ基地局装置１５から送信された信号をアンテナ１６ａを介して受信部１６ｂにより受信する。この受信部１６ｂにより受信された信号は、復調部１６ｃで復調され、受信データとしてＭＭＡＣチャンネルコーディング／デコーディング部１６ｄに供給される。ＭＭＡＣチャンネルコーディング／デコーディング部１６ｄは、ＭＭＡＣの無線伝送フォーマットからのデコード処理を行う。このＭＭＡＣチャンネルコーディング／デコーディング部１６ｄでデコードされたデータは、中央制御装置１６ｇにより映像データと音声データとに分離処理されて、デジタル信号処理部１６ｋに供給される。このデジタル信号処理部１６ｋでは、ＭＰＥＧ−２方式に基づいたデコード処理が行われる。受信データに含まれる映像データは、上記デジタル信号処理部１６ｋで表示用に処理された後、液晶ドライバ１６ｉに供給される。上記液晶ディスプレイ１６ｊは、中央制御装置１６ｇの制御に基づいて、上記映像データに応じた映像を表示する。また、受信データに含まれる音声データは、上記デジタル信号処理部１６ｋでアナログ音声信号とされて、スピーカ１６ｍから出力される。
また、この携帯情報端末装置１６では、上記中央制御装置１６ｇに接続された操作部１６ｈの操作などに基づいて生成された送信データが、ＭＭＡＣチャンネルコーディング／デコーディング部１６ｄに供給される。このデジタル信号処理部１６ｋでは、上記送信データは、上記デジタル信号処理部１６ｋでＭＭＡＣの無線伝送フォーマットにコーディングされ、このコーディングされたデータが変調部１６ｅによりＱＰＳＫ変調などで変調処理され、送信部１６ｆからアンテナ１６ａを介してＭＭＡＣ基地局装置１５に対して無線送信される。
このようなＭＭＡＣのシステムとしての基地局装置１５と端末装置１６を用意して、インターネット網１２などに接続することで、各種コンテンツサーバからのインターネット放送などを端末装置１６で受信することができる。この場合、ＭＭＡＣのシステムの場合には、高速無線アクセスが可能であるので、端末装置１６では動画データなども受信して表示させることが可能である。
このシステムでは、直交周波数分割多重（OFDM:Orthogonal Frequency Division Multiplex）方式と称されるマルチキャリア信号の伝送方式を無線伝送に適用してある。ＯＦＤＭ方式は、所定の帯域幅内に一定の周波数間隔などで複数個のサブキャリア（ここではｍ個のサブキャリア：ｍは複数、例えば３２などの比較的大きな値）を配置したマルチキャリア信号とし、複数のサブキャリアのそれぞれに分割して得た各伝送データを割り当て、各サブキャリアをデジタル変調することで伝送データを分散させて伝送するようにしたものである。
このようなＯＦＤＭ方式により受信処理と送信処理を行う構成について説明する。
図４は、上記携帯情報端末装置１６として用いられるの通信端末装置１００の受信処理系及び送信処理系の具体的な構成例を示すブロック図である。この図４に示した通信端末装置１００において、受信処理系は、上記携帯情報端末装置１６の受信部１６ｂ及び復調部１６ｃに相当するもので、送信・受信兼用のアンテナ１０１にアンテナスイッチ１０２を介して接続されたローノイズアンプ１０３、このローノイズアンプ１０３に受信ミキサ１０４を介して接続された直交検波器１０６、この直交検波器１０６にＡ／Ｄ変換器１０８を介して接続された高速フーリエ変換(FFT:Fast Fourier Transform）回路１０９、このＦＦＴ回路１０９に接続された並列／直列変換回路１１０などからなる。
また、送信処理系は、上記携帯情報端末装置１６の変調部１６ｅ及び送信部１６ｆに相当するもので、送信データが供給される直列／並列変換回路１１１、この直列／並列変換回路１１１に接続された逆高速フーリエ変換(IFFT）回路１１２、このＩＦＦＴ回路１１２にＤ／Ａ変換器１１３を介して接続された直交変調器１１４、この直交変調器１１４に送信ミキサ１１５を介して接続されたパワーアンプ１１６などからなる。上記パワーアンプ１１６は、アンチナスイッチ１０２を介して送信・受信兼用のアンテナ１０１に接続されている。
ここで、上記受信ミキサ１０４及び送信ミキサ１１５には、第１局部発振器１０５の発振出力ｆ１１が供給されている。また、上記直交検波器１０６及び直交変調器１１４には、第２局部発振器１０７の発振出力ｆ１２が供給されている。第１局部発振器１０５及び第２局部発振器１０７は、上記携帯情報端末装置１６の中央制御装置１６ｇに相当する制御部１３０によって発振周波数が制御される。
このような構成の通信端末装置１００における受信処理系では、送信・受信兼用のアンテナ１０１からアンテナスイッチ１０２を介して受信信号がローノイズアンプ１０３に入力される。ローノイズアンプ１０３は、受信信号を増幅して受信ミキサ１０４に供給する。受信ミキサ１０４は、第１局部発振器１０５の発振出力ｆ１１を受信信号に混合して、所定の周波数帯の受信信号を中間周波信号に変換する。
受信ミキサ１０４により得られた中間周波信号は、直交検波器１０６に供給される。直交検波器１０６は、第２局部発振器１０７の発振出力ｆ１２を中間周波信号に混合して、上記中間周波信号を直交検波することによりＩ成分とＱ成分とに分離する。上記受信ミキサ１０４により検波されたＩ成分とＱ成分は、Ａ／Ｄ変換器１０８により、それぞれの成分のデジタルデータＩD，ＱDに変換される。高速フーリエ変換回路１０９は、上記直交検波器１０６からＡ／Ｄ変換器１０８を介して供給されるデジタルデータＩD，ＱDに対して、並列処理によりサブキャリア数と等しいｍ点の離散フーリエ変換を行い、ｍシンボルのパラレルデータを生成する。
高速フーリエ変換回路１０９により生成されたｍシンボルのパラレルデータは、並列／直列変換回路１１０により１系列のシリアルデータとされ、このシリアルデータが受信データとして上記携帯情報端末装置１６のＭＭＡＣチャンネルコーディング／デコーデイング部１６ｄ等に相当するデータ処理部１２０に供給され、映像表示，音声再生などの各種データ処理が行われる。
また、上記通信端末装置１００における送信処理系では、上記データ処理部１２０から供給される送信データ（シリアルデータ）を直列／並列変換回路１１１によりｍ本のパラレルデータに変換する。逆フーリエ変換回路１１２は、このｍ本のパラレルデータに対して、並列処理によりｍ点の逆離散フーリエ変換を行い、直交する時間軸のデジタルベースバンドデータＩD，ＱDを得る。このベースバンドデータＩD，ＱDをＤ／Ａ変換器１１３でアナログ化することにより、Ｉ成分及びＱ成分のアナログ信号を得る。
上記Ｄ／Ａ変換器１１３からＩ成分及びＱ成分の信号が供給される直交変調器１１４は、第２局部発振器１０７の発振出力ｆ１２を搬送波として上記Ｉ成分及びＱ成分の信号で直交変調する。上記直交変調器１１４で直交変調された信号は、送信ミキサ１１５で局部発振器１０５の発振出力ｆ１１が混合されることにより、送信周波数帯の信号に周波数変換される。この周波数変換された信号は、パワーアンプ１１６により増幅され、アンテナスイッチ１０２を介してアンテナ１０１から無線送信される。
ここで、この通信端末装置１００における送信処理系及び受信処理系で処理される伝送信号の構成について説明する。
このＭＭＡＣのシステムでは、例えば図５に示すようなフレーム構成のデータを伝送する。
１フレーム内には、複数のタイムスロットが形成され、それぞれの１単位のスロットで、ヘッダ部Ｔｓ１，情報部Ｔｓ２，誤り検出符号（CRC:Cyclic Redundancy Code）部Ｔｓ３，誤り訂正符号（FEC:Forward Error Correction）部Ｔｓ４が順に配置されている。１フレーム内の前半の所定数のスロットＴ１，Ｔ２，‥‥Ｔｎ（ｎは任意の整数）は、端末装置１６から基地局装置１５への伝送に使用されるアップリンク期間Ｔｕに割り当てられたスロットである。また、１フレーム内の後半の所定数のスロットＲ１，Ｒ２，‥‥Ｒｎ（ｎは任意の整数）は、基地局装置１５から端末装置１００への伝送に使用されるダウンリンク期間Ｔｄに割り当てられたスロットである。
アップリンク期間のスロットとダウンリンク期間のスロットでは、いずれもキャリア数がｍ個の同じ構成のマルチキャリア信号の伝送処理が行われる。
次に、図６は、上記携帯情報端末装置１６として用いられる通信端末装置２００の受信処理系及び送信処理系の具体的な構成例を示すブロック図である。この図６に示した通信端末装置２００において、受信処理系は、上記携帯情報端末装置１６の受信部１６ｂ及び復調部１６ｃに相当するもので、送信・受信兼用のアンテナ２０１にアンテナスイッチ２０２を介して接続されたローノイズアンプ２０３、このローノイズアンプ２０３に受信ミキサ２０４を介して接続された直交検波器２０６、この直交検波器２０６にＡ／Ｄ変換器２０８を介して接続された高速フーリエ変換（FFT:Fast Fourier Transform）回路２０９、このＦＦＴ回路２０９に接続された並列／直列変換回路２１０などからなる。
また、送信処理系は、上記携帯情報端末装置１６の変調部１６ｅ及び送信部１６ｆに相当するもので、送信データが供給される直列／並列変換回路２２１、この直列／並列変換回路２１１に接続されたベースバンドフィルタ２１２、このベースバンドフィルタ２１２にＤ／Ａ変換器２１３を介して接続された直交変調器２１４、この直交変調器２１４に送信ミキサ２１５を介して接続されたパワーアンプ２１６などからなる。上記パワーアンプ２１６は、アンテナスイッチ２０２を介して送信・受信兼用のアンテナ２０１に接続されている。
ここで、上記受信ミキサ２０４及び送信ミキサ２２５には、第１局部発振器２０５の発振出力ｆ１１が供給されている。また、上記直交検波器２０６及び直交変調器２１４には、第２局部発振器２０７の発振出力ｆ１２が供給されている。第１局部発振器２０５及び第２局部発振器２０７は、上記携帯情報端末装置１６の中央制御装置１６ｇに相当する制御部２３０によって発振周波数が制御される。
この通信端末装置２００の受信処理系では、送信・受信兼用のアンテナ２０１からアンテナスイッチ２０２を介して受信信号がローノイズアンプ２０３に入力される。ローノイズアンプ２０３は、受信信号を増幅して受信ミキサ２０４に供給する。受信ミキサ２０４は、第１局部発振器２０５の発振出力ｆ１１を受信信号に混合して、所定の周波数帯の受信信号を中間周波信号に変換する。
受信ミキサ２０４により得られた中間周波信号は、直交検波器２０６に供給される。直交検波器２０６は、第２局部発振器２０７の発振出力ｆ１２を中間周波信号に混合して、上記中間周波信号を直交検波することによりＩ成分とＱ成分とに分離する。上記受信ミキサ２０４により検波されたＩ成分とＱ成分は、Ａ／Ｄ変換器２０８により、それぞれの成分のデジタルデータＩD，ＱDに変換される。高速フーリエ変換回路２０９は、上記直交検波器２０６からＡ／Ｄ変換器２０８を介して供給されるデジタルデータＩD，ＱDに対して、サブキャリア数と等しいｍ点の離散フーリエ変換処理を行い、ｍシンボルのパラレルデータを生成する。なお、サブキャリア数ｍは２以上の整数値であり、一般にはｍは例えば３２などの比較的大きな値とされる。
高速フーリエ変換回路２０９により生成されたｍシンボルのパラレルデータは、並列／直列変換回路２１０により１系列のシリアルデータとされ、このシリアルデータが受信データとして上記携帯情報端末装置１６のＭＭＡＣチャンネルコーディング／デコーディング部１６ｄ等に相当するデータ処理部２２０に供給され、映像表示，音声再生などの各種データ処理が行われる。
また、上記通信端末装置２００における送信処理系では、上記データ処理部２２０から供給される送信データ（シリアルデータ）を直列／並列変換回路２１１により２系統のパラレルデータに変換する。ベースバンドフィルタ２１２は、この２系統のパラレルデータから不要成分を除去して、直交する時間軸のデジタルベースバンドデータＩD，ＱDを生成する。このベースバンドデータＩD，ＱDをＤ／Ａ変換器２１３でアナログ化することにより、Ｉ成分及びＱ成分のアナログ信号を得る。
上記Ｄ／Ａ変換器２１３からＩ成分及びＱ成分の信号が供給される直交変調器２１４は、第２局部発振器２０７の発振出力ｆ１２を搬送波として上記Ｉ成分及びＱ成分の信号で直交変調する。上記直交変調器２１４で直交変調された信号は、送信ミキサ２１５で局部発振器２０５の発振出力ｆ１１が混合されることにより、送信周波数帯の信号に周波数変換される。この周波数変換された信号は、パワーアンプ２１６により増幅され、アンテナスイッチ２０２を介してアンテナ２０１から無線送信される。
この通信端末装置２００は、送信処理系においてベースバンドフィルタ２１２によりデジタルベースバンドデータＩD，ＱDを生成するようにしたところが、上述の図４に示した通信端末装置１００と相違している。
ここで、このような構成の通信端末装置２００と、基地局装置１５との間で無線伝送される伝送信号の構成について説明する。
上記通信端末装置２００と基地局装置１５との間では、図７に示すようなフレーム構成の伝送信号が無線伝送される。すなわち、所定の時間毎に１フレームを規定し、その１フレーム内に複数のタイムスロットを形成する。フレーム周期は、例えば基地局装置１５から送信される同期信号に同期している。それぞれの１単位のスロットでは、ヘッダ部Ｔｓ１、情報部Ｔｓ２、ＣＲＣ（誤り検出符号）部Ｔｓ３、ＦＥＣ（誤り訂正符号）部Ｔｓ４が順に配置された信号が伝送される。
１スロットの情報部Ｔｓ２で伝送できる最大の有効シンボル数はｋとする。
ここでは、アクセス方式としてＴＤＭＡ／ＴＤＤ方式が適用されて、通信端末装置２００から基地局装置１５への上り回線と、基地局装置１５からその通信端末装置２００への下り回線とで、同じ周波数帯が使用され、上り回線と下り回線とで、１フレーム内の異なるタイムスロットが時分割で使用される。
１フレーム内の前半の所定数のスロットＴ１，Ｔ２・・・Ｔｎ（ｎは任意の整数）は、アップリンク期間Ｔｕのスロットであり、端末装置２００から基地局装置１５への上り回線の伝送に使用されるスロットである。１フレーム内の後半の所定数のスロットＲ１，Ｒ２・・・Ｒｎ（ｎは任意の整数）は、ダウンリンク期間Ｔｄのスロットであり、基地局装置１５から端末装置２００への下り回線の伝送に使用されるスロットである。
アップリンク期間Ｔｕに用意されたスロットＴ１〜Ｔｎの中のいずれかのスロットで、通信端末装置２００から基地局装置１５に無線伝送される信号は、伝送帯域としては、キャリア数がｍ個のマルチキャリア信号が伝送できる帯域が用意されているが、いずれか１本のサブキャリア（ここでは最も端部に配されるサブキャリアｆｍ）だけが伝送され、このサブキャリアｆｍだけを使用したシングルキャリア信号として、上り回線のデータが伝送される。この場合に１スロットで伝送される有効シンボル数は、ｋ／ｍとなる。
ダウンリンク期間ＴｄのスロットＲ１〜Ｒｎで、基地局装置１５から通信端末装置２００に無線伝送される下り回線の信号は、いずれのスロットでも、キャリア数がｍ個のマルチキャリア信号であり、有効シンボル数ｋのデータである。
なお、アップリンク期間Ｔｕで、この通信端末装置１６から基地局装置１５に対して上り回線のデータを伝送するスロット位置としては、例えば図８に示すように設定してもよい。即ち、図８に示すように、アップリンク期間を構成する複数個のスロットＴ１，Ｔ２，・・・Ｔｎの内の予め決められた任意の数のスロット（ここでは３スロット毎のスロットＴ１，Ｔ４・・・）を低速専用スロットＴＬとし、残りのスロットを高速専用スロットＴHとする。そして、上り回線として１個のサブキャリアだけを使用したシングルキャリア信号が送信される構成の通信端末装置２００から基地局装置１５に、上り回線の信号を送出させる際には、低速専用スロットＴLを使用する。また、そして、キャリア数がｍ個のマルチキャリア信号を上り回線の信号として送出する通信端末装置１００の場合には、高速専用スロットＴHを使用する。
基地局装置１５側では、中央制御装置１５ｅによる制御に基づいて、上り回線の信号を受信する際には、高速専用スロットＴHとして設定されたスロット位置では、受信系の復調部１５ｋが備える高速フーリエ変換回路で、ｍ点の離散フーリエ変換処理を行って、キャリア数がｍ個のマルチキャリア信号の復調処理を行う。そして、低速専用スロットＴＬとして設定されたスロット位置では、受信した１本のキャリアの信号だけを復調処理する。
アップリンク期間Ｔｕで、上記通信端末装置２００から基地局装置１５に対して上り回線のデータを伝送する別の構成としては、例えば図９に示すように、アップリンク期間を構成する複数個のスロットＴ１，Ｔ２，・・・Ｔｎのどのスロットでも、上記通信端末装置２００からのシングルキャリア信号の伝送と、上記通信端末装置１００からのマルチキャリア信号の伝送とができるようにしても良い。
それぞれのスロットでシングルキャリア信号とマルチキャリア信号のいずれの信号も伝送可能とする場合は、基地局装置１５側で受信した信号の状態を判別する。
図１０は、この場合のＭＭＡＣ基地局装置１５として用いられる基地局装置１５０の受信処理系及び送信処理系の具体的な構成例を示すブロック図である。この基地局装置１５０において、受信処理系は、上記ＭＭＡＣ基地局装置１５の受信部１５ｊ及び復調部１５ｋに相当するもので、送信・受信兼用のアンテナ１５１にアンテナスイッチ１５２を介して接続されたローノイズアンプ１５３、このローノイズアンプ１５３に受信ミキサ１５４を介して接続された直交検波器１５６、この直交検波器１５６にＡ／Ｄ変換器１５８を介して接続された並列／直列変換回路１５９及び高速フーリエ変換（FFT:Fast Fourier Transform）回路１６０、このＦＦＴ回路１６０に接続された並列／直列変換回路１６１、上記並列／直列変換回路１６０，１６１に接続された判定・選択回路１８０などからなる。
また、送信処理系は、上記ＭＭＡＣ基地局装置１５の変調部１５ｇ及び送信部１５ｈに相当するもので、送信データが供給される直列／並列変換回路１７１、この直列／並列変換回路１７１に接続された逆高速フーリエ変換（IFFT）回路１７２、このＩＦＦＴ回路１７２にＤ／Ａ変換器１７３を介して接続された直交変調器１７４、この直交変調器１７４に送信ミキサ１７５を介して接続されたパワーアンプ１７６などからなる。上記パワーアンプ１７６は、アンテナスイッチ１５２を介して送信・受信兼用のアンテナ１５１に接続されている。
ここで、上記受信ミキサ１５４及び送信ミキサ１７５には、第１局部発振器１５５の発振出力ｆ１１が供給されている。また、上記直交検波器１５６及び直交変調器１７４には、第２局部発振器１５７の発振出力ｆ１２が供給されている。第１局部発振器１５５及び第２局部発振器１５７は、上記ＭＭＡＣ携帯情報端末装置１５の中央制御装置１５ｅに相当する制御部１９０によって発振周波数が制御される。
このような構成の基地局装置１５０における受信処理系では、送信・受信兼用のアンテナ１５１からアンテナスイッチ１５２を介して受信信号がローノイズアンプ１５３に入力される。ローノイズアンプ１５３は、受信信号を増幅して受信ミキサ１５４に供給する。受信ミキサ１５４は、第１局部発振器１５５の発振出力ｆ１１を受信信号に混合して、所定の周波数帯ｆ０の受信信号を中間周波信号に変換する。
受信ミキサ１５４により得られた中間周波信号は、直交検波器１５６に供給される。直交検波器１５６は、第２局部発振器１５７の発振出力ｆ１２を中間周波信号に混合して、上記中間周波信号を直交検波することによりＩ成分とＱ成分とに分離する。上記受信ミキサ１５４により検波されたＩ成分とＱ成分は、Ａ／Ｄ変換器１５８により、それぞれの成分のデジタルデータＩD，ＱDに変換される。並列／直列変換回路１５９は、上記Ａ／Ｄ変換器１５８から供給されるデジタルデータＩD，ＱDを１系列のシリアルデータに変換し、このシリアルデータを判定・選択回路１６２に供給する。また、高速フーリエ変換回路１５９は、上記Ａ／Ｄ変換器１５８から供給されるデジタルデータＩD，ＱDに対して、サブキャリア数と等しいｍ点の離散フーリエ変換処理を行い、ｍシンボルのパラレルデータを生成する。並列／直列変換回路１６１は、上記高速フーリエ変換回路１５９により生成されたｍシンボルのパラレルデータを１系列のシリアルデータに変換して、このシリアルデータを上記判定・選択回路１６２に供給する。
判定・選択回路１６２は、その構成を図１１に示してあるように、上記並列／直列変換回路１５９からシリアルデータが供給される誤り訂正回路１８１、上記並列／直列変換回路１６１からシリアルデータが供給される誤り訂正回路１８２、各誤り訂正回路１８１，１８２により誤り訂正された２系統のシリアルデータが供給されるデータ選択回路１８３と、各誤り訂正回路１８１，１８２により誤り訂正された２系統のシリアルデータについて誤り検出を行う各誤り検出回路１８４，１８５、各誤り検出回路１８４，１８５による誤り検出出力が供給される判定回路１８６等からなる。
誤り訂正回路１８１，１８２は、並列／直列変換回路１５９、１６１から供給される２系統のシリアルデータについて、各スロットに付加されている誤り訂正符号（FEC:Forward Error Correction）に基づいて誤り訂正を行い、誤り訂正済みの２系統のシリアルデータをデータ選択回路１８３に供給する。また、誤り検出回路１８４，１８５は、誤り訂正回路１８１，１８２により誤り訂正された２系統のシリアルデータについて、各スロットに付加されている誤り検出符号（CRC:Cyclic Redundancy Code）に基づいて誤り検出を行い、上記誤り訂正済みの２系統のシリアルデータに含まれている誤りを示す誤り検出出力を判定回路１８６に供給する。判定回路１８６は、誤り検出回路１８４，１８５による誤り検出出力を比較することにより、正しい受信データであると思われるデータがいずれの系統のシリアルデータであるかを判定し、その判定結果に基づいてデータ選択回路１８３を制御する。
上記判定・選択回路１６２は、データ選択回路１８３により選択した系統のシリアルデータを受信データとして上記基地局装置１５のＭＭＡＣチャンネルコーディング／デコーデイング部１５ｄ等に相当するデータ処理部１８０に供給する。
また、上記基地局装置１５０における送信処理系では、上記データ処理部１８０から供給される送信データ（シリアルデータ）を直列／並列変換回路１７１によりｍ本のパラレルデータに変換する。逆フーリエ変換回路１７２は、このｍ本のパラレルデータに対してｍ点の逆離散フーリエ変換を行い、直交する時間軸のデジタルベースバンドデータＩD，ＱDを得る。このベースバンドデータＩD，ＱDをＤ／Ａ変換器１７３でアナログ化することにより、Ｉ成分及びＱ成分のアナログ信号を得る。
上記Ｄ／Ａ変換器１７３からＩ成分及びＱ成分の信号が供給される直交変調器１７４は、第２局部発振器１５７の発振出力ｆ１２を搬送波として上記Ｉ成分及びＱ成分の信号で直交変調する。上記直交変調器１７４で直交変調された信号は、送信ミキサ１７５で局部発振器１５５の発振出力ｆ１１が混合されることにより、送信周波数帯の信号に周波数変換される。この周波数変換された信号は、パワーアンプ１７６により増幅され、アンテナスイッチ１５２を介してアンテナ１５１から端末装置１６に対して無線送信される。
このように構成されるデータ通信システムにおける基地局装置１５と端末装置１６との間で通信を行う際の制御シーケンスの一例を、図１２を参照して説明する。この図１２では、左側が端末装置１６側で、右側が基地局装置１５側であり、それぞれ制御チャンネル，通信チャンネルをアクセスできるようになっている。図１２では、太線の矢印で示す信号の伝送が、キャリア数ｍによる高速アクセス回線（スロット）を使用した伝送で、細線の矢印で示す信号の伝送が、シングルキャリアによる低速アクセス回線（スロット）を使用した伝送である。
基地局装置１５からは、各端末装置１６の待ち受け用に制御信号Ｓ１を、下り回線の制御チャンネル用のスロットで間欠的に報知する。端末装置１６側では、この制御信号Ｓ１を間欠的に受信する。待ち受け時にこのように間欠的な受信を行うことで、例えば通信端末装置が内蔵されたバッテリで駆動される装置である場合には、バッテリの持続時間を長時間化することができる。
そして、端末装置１６側では、発信要求を行う場合に、リンクチャンネル確立要求信号Ｓ２を、上り回線の制御チャンネル用のスロットで送信する。ここで、この発信要求がある端末装置１６が、図６に示したような上り回線をシングルキャリア信号として送信する端末装置２００である場合には、リンクチャンネル確立要求信号Ｓ２は、シングルキャリアによる低速アクセス回線（スロット）を使用した伝送である。基地局装置１５側では、そのリンクチャンネル確立要求信号Ｓ２を受信すると、その信号が低速アクセス（即ちシングルキャリア信号の伝送）であるのか、或いは高速アクセス（即ちｍ本のマルチキャリア信号の伝送）であるのか判定する。例えば図８に示したように、アップリンク期間のスロットを低速アクセス用スロットと高速アクセス用スロットに分けてある場合には、その信号を受信したスロット位置から、低速アクセスあるか高速アクセスであるかを判定することができる。また、図９に示したように、各スロットが低速アクセス・高速アクセス兼用である場合には、例えば図１０に示した基地局装置１５０のように、それぞれの方式に適合した復調出力についてのエラー検出結果に基づいて判定する。
このアクセス判定の後に、空いている通信チャンネルをリンクチャンネル割当て信号Ｓ３を伝送して通知する。この通知により、端末装置１６側では指定された通信チャンネル（スロット）での通信に移行し、その通信チャンネルで同期信号Ｓ４を送信する。このときには、基地局装置１５では通信端末装置１６からの信号が低速アクセスか高速アクセスか判っているので（ここでは低速アクセス）、その信号を復調でき、基地局装置側も同期信号Ｓ５を送信し、両者の同期を確立させる。
その後、接続先の設定，受付などの呼制御信号Ｓ６の授受を両者で行い、インターネットアクセス，動画サーバアクセス，ビデオオンデマンド，インターネット放送などのデータサービスにおけるメインデータＳ７を伝送する通信状態に移行する。この通信状態でも、上り回線は低速アクセスであり、下り回線だけが高速アクセスで行われる。図１２の例では、端末装置１６からの上り回線が低速アクセスである場合の例であるが、端末装置１６からの上り回線が高速アクセスである場合には、制御シーケンスは、低速アクセスの信号が高速アクセスの信号に変わるだけである。
このように端末装置１６として上り回線の低速アクセスを行う構成を採用することにより、この端末装置１６が備える送信処理系のハードウェアの負担を軽くすることができ、効率の良い伝送ができる。即ち、マルチキャリア信号の送信処理を行う通信端末装置１００では、送信部のパワーアンプ１１６は広い線形性を有する特性のものを使用する必要があるが、例えば図１に示した通信端末装置２００の送信部のパワーアンプ２１６ではシングルキャリア信号の増幅処理を行うだけで良く、広い線形性を必要としない電力効率の高い増幅器が使用でき、端末装置１６の構成を簡単にすることができる。したがって、例えば端末装置１６がバッテリ駆動である場合には、送信処理に必要な電力を低減させることができ、消費電力の低減（即ちバッテリの持続時間の長時間化）を図ることができる。
この場合、上り回線の低速アクセス時の信号としては、マルチキャリア信号を構成する複数のサブキャリアの一部を間引いた形式の信号となっているので、基地局装置１５側では、高速アクセス時の伝送信号の受信時に比べて、それほど処理には変化がなく（高速フーリエ変換などが変わる程度）、上り回線の情報量が少なく下り回線が高速な非対称の無線データ通信システムを効率的に実現できる。
なお、本例のように上り回線で低速アクセスを行うと、それだけ端末装置１６から基地局装置１５に対して伝送できるデータ量が少なくなるが、本例が適用されるＭＭＡＣなどの通信システムの場合には、下り回線の伝送としては、インターネットアクセス，動画サーバアクセス，ビデオオンデマンド，インターネット放送などのデータの伝送であり、大容量の伝送容量を必要とするが、上り回線の伝送としては、これらのアクセスの実行を指示するデータや、電子メールデータなどの比較的データ量の小さいデータであり、上り回線が低速アクセスであることによる不都合は少ない。
また、このデータ通信システムでは、上記端末装置１６として、例えば図１３に示すような構成の端末装置３００を用いるようにしても良い。この図１３に示した通信端末装置３００において、受信処理系は、上記携帯情報端末装置１６の受信部１６ｂ及び復調部１６ｃに相当するもので、送信・受信兼用のアンテナ３０１にアンテナスイッチ３０２を介して接続されたローノイズアンプ３０３、このローノイズアンプ３０３に受信ミキサ３０４を介して接続された直交検波器３０６、この直交検波器３０６にＡ／Ｄ変換器３０８を介して接続された高速フーリエ変換（FFT:Fast Fourier Transform）回路３０９、このＦＦＴ回路３０９に接続された並列／直列変換回路３１０などからなる。
また、送信処理系は、上記携帯情報端末装置１６の変調部１６ｅ及び送信部１６ｆに相当するもので、送信データが供給される直列／並列変換回路３１１、この直列／並列変換回路３１１に接続された逆高速フーリエ変換（IFFT）回路３１２、このＩＦＦＴ回路３１２にＤ／Ａ変換器３１３を介して接続された直交変調器３１４、この直交変調器３１４に送信ミキサ３１５を介して接続されたパワーアンプ３１６などからなる。上記パワーアンプ３１６は、アンテナスイッチ３０２を介して送信・受信兼用のアンテナ３０１に接続されている。
ここで、上記受信ミキサ３０４及び送信ミキサ３１５には、第１局部発振器３０５の発振出力ｆ１１が供給されている。また、上記直交検波器３０６及び直交変調器３１４には、第２局部発振器３０７の発振出力ｆ１２が供給されている。第１局部発振器３０５及び第２局部発振器３０７は、上記携帯情報端末装置１６の中央制御装置１６ｇに相当する制御部３３０によって発振周波数が制御される。
このような構成の通信端末装置３００における受信処理系では、送信・受信兼用のアンテナ３０１からアンテナスイッチ３０２を介して受信信号がローノイズアンプ３０３に入力される。ローノイズアンプ３０３は、受信信号を増幅して受信ミキサ３０４に供給する。受信ミキサ３０４は、第１局部発振器３０５の発振出力ｆ１１を受信信号に混合して、所定の周波数帯の受信信号を中間周波信号に変換する。
受信ミキサ３０４により得られた中間周波信号は、直交検波器３０６に供給される。直交検波器３０６は、第２局部発振器３０７の発振出力ｆ１２を中間周波信号に混合して、上記中間周波信号を直交検波することによりＩ成分とＱ成分とに分離する。上記受信ミキサ３０４により検波されたＩ成分とＱ成分は、Ａ／Ｄ変換器３０８により、それぞれの成分のデジタルデータＩD，ＱDに変換される。高速フーリエ変換回路３０９は、上記直交検波器３０６からＡ／Ｄ変換器３０８を介して供給されるデジタルデータＩD，ＱDに対して、サブキャリア数と等しいｍ点の離散フーリエ変換処理を行い、ｍシンボルのパラレルデータを生成する。
高速フーリエ変換回路３０９により生成されたｍシンボルのパラレルデータは、並列／直列変換回路３１０により１系列のシリアルデータとされ、このシリアルデータが受信データとして上記携帯情報端末装置１６のＭＭＡＣチャンネルコーディング／デコーディング部１６ｄ等に相当するデータ処理部３２０に供給され、映像表示，音声再生などの各種データ処理が行われる。
また、上記通信端末装置３００における送信処理系では、上記データ処理部３２０から供給される送信データ（シリアルデータ）を直列／並列変換回路３１１によりｊ本（このｊの値は送信するマルチキャリア信号のキャリア数ｊに対応した値で、下り回線のマルチキャリア信号のキャリア数ｍよりも小さな整数値としてある）のパラレルデータに変換する。逆フーリエ変換回路３１２は、このｊ本のパラレルデータに対してｊ点の逆離散フーリエ変換を行い、直交する時間軸のデジタルベースバンドデータＩD，ＱDを得る。このベースバンドデータＩD，ＱDをＤ／Ａ変換器３１３でアナログ化することにより、Ｉ成分及びＱ成分のアナログ信号を得る。
上記Ｄ／Ａ変換器３１３からＩ成分及びＱ成分の信号が供給される直交変調器３１４は、第２局部発振器３０７の発振出力ｆ１２を搬送波として上記Ｉ成分及びＱ成分の信号で直交変調する。上記直交変調器３１４で直交変調された信号は、送信ミキサ３１５で局部発振器３０５の発振出力ｆ１１が混合されることにより、送信周波数帯の信号に周波数変換される。この周波数変換された信号は、パワーアンプ３１６により増幅され、アンテナスイッチ３０２を介してアンテナ３０１から無線送信される。
この通信端末装置３００は、送信処理系において送信データ（シリアルデータ）を直列／並列変換回路３１１によりｊ本のパラレルデータに変換して、逆フーリエ変換回路３１２により逆離散フーリエ変換を行い、直交する時間軸のデジタルベースバンドデータＩD，ＱDを得るようにしたところが、上述の図４に示した通信端末装置１００と相違している。
このように送信処理を行うことで、この通信端末装置３００から基地局装置１５に対して伝送される上り回線の信号は、サブキャリア数がｊ個のマルチキャリア信号になる。このｊの値については、上述したように、下り回線でのサブキャリア数ｍよりも小さな値とするが、ＦＦＴ処理等を容易にするために、例えば２のべき乗の値とするのが好ましい。例えばｍ＝３２とした場合に、ｊ＝４とする。以下の説明ではｊ＝４とする。
このような構成の通信端末装置３００に対応するＭＭＡＣ基地局装置１５としては、例えば、図１５に示すような構成の基地局装置２５０が用いられる。この図１５に示した基地局装置２５０において、受信処理系は、上記ＭＭＡＣ基地局装置１５の受信部１５ｊ及び復調部１５ｋに相当するもので、送信・受信兼用のアンテナ２５１にアンテナスイッチ２５２を介して接続されたローノイズアンプ２５３、このローノイズアンプ２５３に受信ミキサ２５４を介して接続された直交検波器２５６、この直交検波器２５６にＡ／Ｄ変換器２５８を介して接続された各高速フーリエ変換（FFT:Fast Fourier Transform）回路２５９，２６１、各ＦＦＴ回路２５９，２６１に並列／直列変換回路２６０，２６２を介して接続された判定・選択回路２８０などからなる。
また、送信処理系は、上記ＭＭＡＣ基地局装置１５の変調部１５ｇ及び送信部１５ｈに相当するもので、送信データが供給される直列／並列変換回路２７１、この直列／並列変換回路２７１に接続された逆高速フーリエ変換（IFFT）回路２７２、このＩＦＦＴ回路２７２にＤ／Ａ変換器２７３を介して接続された直交変調器２７４、この直交変調器２７４に送信ミキサ２７５を介して接続されたパワーアンプ２７６などからなる。上記パワーアンプ２７６は、アンテナスイッチ２５２を介して送信・受信兼用のアンテナ２５１に接続されている。
ここで、上記受信ミキサ２５４及び送信ミキサ２７５には、第１局部発振器２５５の発振出力ｆ１１が供給されている。また、上記直交検波器２５６及び直交変調器２７４には、第２局部発振器２５７の発振出力ｆ１２が供給されている。第１局部発振器２５５及び第２局部発振器２５７は、上記ＭＭＣ基地局装置１５の中央制御装置１５ｅに相当する制御部２９０によって発振周波数が制御される。
このような構成の基地局装置２５０における受信処理系では、送信・受信兼用のアンテナ２５１からアンテナスイッチ２５２を介して受信信号がローノイズアンプ２５３に入力される。ローノイズアンプ２５３は、受信信号を増幅して受信ミキサ２５４に供給する。受信ミキサ２５４は、第１局部発振器２５５の発振出力ｆ１１を受信信号に混合して、所定の周波数帯ｆ０の受信信号を中間周波信号に変換する。
受信ミキサ２５４により得られた中間周波信号は、直交検波器２５６に供給される。直交検波器２５６は、第２局部発振器２５７の発振出力ｆ１２を中間周波信号に混合して、上記中間周波信号を直交検波することによりＩ成分とＱ成分とに分離する。上記受信ミキサ２５４により検波されたＩ成分とＱ成分は、Ａ／Ｄ変換器１５８により、それぞれの成分のデジタルデータＩD，ＱDに変換ざれる。第１の高速フーリエ変換回路２５９は、上記Ａ／Ｄ変換器２５８から供給されるデジタルデータＩD，ＱDに対して、最大のサブキャリア数と等しいｍ点の離散フーリエ変換処理を行い、ｍシンボルのパラレルデータを生成する。並列／直列変換回路２６０は、第１の高速フーリエ変換回路２５９から供給されるｍシンボルのパラレルデータを１系列のシリアルデータに変換し、このシリアルデータを判定・選択回路２６３に供給する。また、第１の高速フーリエ変換回路２６１は、上記Ａ／Ｄ変換器２５８から供給されるデジタルデータＩD，ＱDに対して、ｊ点（ここでは４点）の離散フーリエ変換処理を行い、ｊシンボル（４シンボル）のパラレルデータを生成する。並列／直列変換回路２６２は、第２の高速フーリエ変換回路２６１から供給されるｊシンボルのパラレルデータを１系列のシリアルデータに変換し、このシリアルデータを判定・選択回路２６３に供給する。
判定・選択回路２６３では、各並列／直列変換回路２５９，２６０から供給される２系統のシリアルデータついて、正しい受信データであると思われるデータがいずれの系統のシリアルデータであるかを判定して、その判定した系統のシリアルデータを受信データとして選択して、上記基地局装置１５のＭＭＡＣチャンネルコーディング／デコーディング部１５ｄ等に相当するデータ処理部２８０に供給する。
また、上記基地局装置２５０における送信処理系では、上記データ処理部２８０から供給される送信データ（シリアルデータ）を直列／並列変換回路２７１によりｍ本のパラレルデータに変換する。逆フーリエ変換回路２７２は、このｍ本のパラレルデータに対してｍ点の逆離散フーリエ変換を行い、直交する時間軸のデジタルベースバンドデータＩD，ＱDを得る。このベースバンドデータＩD，ＱDをＤ／Ａ変換器２７３でアナログ化することにより、Ｉ成分及びＱ成分のアナログ信号を得る。
上記Ｄ／Ａ変換器２７３からＩ成分及びＱ成分の信号が供給される直交変調器２７４は、第２局部発振器２５７の発振出力ｆ１２を搬送波として上記Ｉ成分及びＱ成分の信号で直交変調する。上記直交変調器２７４で直交変調された信号は、送信ミキサ２７５で局部発振器２５５の発振出力ｆ１１が混合されることにより、送信周波数帯の信号に周波数変換される。この周波数変換された信号は、パワーアンプ２７６により増幅され、アンテナスイッチ２５２を介してアンテナ２５１から端末装置１６に対して無線送信される。
この基地局装置２５０は、第１の高速フーリエ変換回路２５９は、上記Ａ／Ｄ変換器２５８から供給されるデジタルデータＩD，ＱDに対して、第１の高速フーリエ変換回路２５９により生成されるｍシンボルのパラレルデータを並列／直列変換回路２６０により１系列のシリアルデータに変換するとともに、第２の高速フーリエ変換回路２６１により生成されるｊシンボルのパラレルデータを並列／直列変換回路２６２により１系列のシリアルデータに変換するようにした点において、上述の図１０に示した基地局装置１５０と相違している。
図１３に示した構成の通信端末装置３００と、図１４に示した構成の基地局装置２５０との間では、図１５に示すようなフレーム構成の伝送信号が無線伝送される。すなわち、所定の時間毎に１フレームを規定し、その１フレーム内に複数のタイムスロットを形成する。フレーム周期は、例えば基地局装置１５から送信される同期信号に同期している。それぞれの１単位のスロットでは、ヘッダ部Ｔｓ１、情報部Ｔｓ２、ＣＲＣ（誤り検出符号）部Ｔｓ３、ＦＥＣ（誤り訂正符号）部Ｔｓ４が順に配置された信号が伝送される。
１スロットの情報部Ｔｓ２で伝送できる最大の有効シンボル数はｋとする。
ここでは、アクセス方式としてＴＤＭＡ／ＴＤＤ方式が適用されて、通信端末装置３００から基地局装置２５０への上り回線と、基地局装置２５０からその通信端末装置３００への下り回線とで、同じ周波数帯が使用され、上り回線と下り回線とで、１フレーム内の異なるタイムスロットが時分割で使用される。また、１フレーム内の前半の所定数のスロットＴ１，Ｔ２，‥‥Ｔｎ（ｎは任意の整数）は、アップリンク期間Ｔｕのスロットであり、端末装置３００から基地局装置２５０への上り回線の伝送に使用される。また、１フレーム内の後半の所定数のスロットＲ１，Ｒ２，‥‥Ｒｎ（ｎは任意の整数）は、ダウンリンク期間Ｔｄのスロットであり、基地局装置２５０から端末装置３００への下り回線の伝送に使用される。
アップリンク期間Ｔｕに用意されたスロットＴ１〜Ｔｎの中のいずれかのスロットで、通信端末装置３００から基地局装置２５０に無線伝送される信号は、伝送帯域としては、キャリア数がｍ個のマルチキャリア信号が伝送できる帯域が用意されているが、ここではほぼ等間隔のｊ本（この例では４本）のサブキャリアｆ１，ｆａ，ｆｂ，ｆｍだけが伝送され、このｊ本（４本）のサブキャリアだけを使用したマルチキャリア信号として、上り回線のデータが伝送される。この場合に１スロットで伝送される有効シンボル数は、ｋ×ｊ／ｍとなる。但し、図１３に示した構成とは異なる構成の端末装置１６、例えば上述の図４に示した構成の通信端末装置１００からｍ個のサブキャリア信号によるマルチキャリア信号や、図６に示した構成の通信端末装置２００からシングルキャリア信号が、上り回線で伝送される場合もある。
ダウンリンク期間ＴｄのスロットＲ１〜Ｒｎで、基地局装置２５０から通信端末装置に無線伝送される下り回線の信号は、いずれのスロットでも、キャリア数がｍ個のマルチキャリア信号であり、有効シンボル数ｋのデータが伝送される。
アップリンク期間Ｔｕで、本例の通信端末装置から基地局装置に対して上り回線のデータを伝送するスロット位置については、図１４に示した構成の基地局装置２５０とした場合には、ｍ個のサブキャリアによるマルチキャリア信号の復調と、ｊ個のサブキャリアによるマルチキャリア信号の復調とを同時に行って、正しく復調できた信号を選択する構成としてあるので、アップリンク期間Ｔｕのどのスロット位置で上り回線の信号の伝送を行っても良い（但し実際に通信を行う場合には基地局装置２５０から指示されたスロット位置で行う）。
なお、上述の図８に示したように、予め低速専用スロットの位置と高速専用スロットの位置を決めた場合には、基地局装置１５で受信したスロット位置の判断から、サブキャリアの数を判断でき、基地局装置１５の構成としては、例えば図１４に示した基地局装置２５０のように複数の高速フーリエ変換回路２５９，２６１を備える必要がなく、１個の高速フーリエ変換回路で離散フーリエ変換処理を行う際の変換点の数を、そのときの受信スロットに位置に応じてｍ点とｊ点に変更させれば、対処できる。
以上説明したように、上り回線の低速アクセスを行う構成を採用した通信端末装置１６では、送信処理系のハードウェアの負担を軽くすることができ、効率の良い伝送ができる。即ち、図１３に示した通信端末装置３００では、下り回線と上り回線のいずれの場合もマルチキャリア信号の伝送を行うが、上り回線でのマルチキャリア信号はサブキャリア数を少なくしてあるので、それだけ送信部のパワーアンプ３１６は、帯域の狭い信号を処理すれば良く、広い線形性を必要としない電力効率の高い増幅器が使用でき、構成を簡単にすることができる。したがって、送信処理に必要な電力を低減させることができ、例えば通信端末装置１６がバッテリ駆動である場合には、消費電力の低減（即ちバッテリの持続時間の長時間化）を図ることができる。
特に、この通信端末装置３００では、上り回線のサブキャリア数を下り回線のサブキャリア数に比べて大幅に小さな値（例えばｍ＝３２，ｊ＝４など）として、その少ないサブキャリアの信号を帯域内にほぼ均等に分散して伝送させることで、送信系のパワーアンプ３１６の負担を大幅に小さくすることができるとともに、上述の図６に示した通信端末２００のようにシングルキャリア信号で伝送する場合に比べて、帯域内の分散してデータが伝送されることになり、特定の周波数のサブキャリアの信号の伝送にエラーがあっても、誤り訂正符号などを使用してエラーを修復でき、マルチキャリア信号本来の利点を使うことができる。
なお、ここではｊの値をｍよりも大幅に小さな値とした例を説明したが、少なくともｊの値をｍの値よりも小さな値であれば、上述したパワーアンプの効率改善などの効果が得られるものである。
さらに、この実施の形態におけるデータ通信システムではＭＭＡＣ基地局装置１５として例えば図１６に示すような構成の基地局装置３５０を用いるようにしてもよい。
この図１６に示した基地局装置３５０において、受信処理系は、上記ＭＭＡＣ基地局装置１５の受信部１５ｊ及び復調部１５ｋに相当するもので、送信・受信兼用のアンテナ３５１にアンテナスイッチ２５２を介して接続されたローノイズアンプ３５３、このローノイズアンプ３５３に受信ミキサ３５４を介して接続された直交検波器３５６、この直交検波器３５６にローパスフィルタ２５８，２５９を介して接続されたＡ／Ｄ変換器３６０，３６１、Ａ／Ｄ変換器３６０，３６１に接続された各高速フーリエ変換（FFT:Fast Fourier Transform）回路３６２，３６３、各ＦＦＴ回路３６２，３６３に並列／直列変換回路３６４，３６５を介して接続された判定・選択回路３８０などからなる。
また、送信処理系は、上記ＭＭＡＣ基地局装置１５の変調部１５９及び送信部１５ｈに相当するもので、送信データが供給される直列／並列変換回路３７１、この直列／並列変換回路３７１に接続された逆高速フーリエ変換（IFFT）回路３７２、このＩＦＦＴ回路３７２にＤ／Ａ変換器３７３を介して接続された直交変調器２７４、この直交変調器３７４に送信ミキサ２７５を介して接続されたパワーアンプ３７６などからなる。上記パワーアンプ３７６は、アンテナスイッチ３５２を介して送信・受信兼用のアンテナ３５１に接続されている。
ここで、上記受信ミキサ３５４及び送信ミキサ３７５には、第１局部発振器３５５の発振出力ｆ１１が供給されている。また、上記直交検波器２３６及び直交変調器３７４には、第２局部発振器３５７の発振出力ｆ１２が供給されている。第１局部発振器３５５及び第２局部発振器３５７は、上記ＭＭＡＣ基地局装置１５の中央制御装置１５ｅに相当する制御部３９０によって発振周波数が制御される。
このような構成の基地局装置３５０における受信処理系では、送信・受信兼用のアンテナ３５１からアンテナスイッチ３５２を介して受信信号がローノイズアンプ３５３に入力される。ローノイズアンプ３５３は、受信信号を増幅して受信ミキサ３５４に供給する。受信ミキサ３５４は、第１局部発振器３５５の発振出力ｆ１１を受信信号に混合して、所定の周波数帯ｆ０の受信信号を中間周波信号に変換する。
受信ミキサ３５４により得られた中間周波信号は、直交検波器３５６に供給される。直交検波器３５６は、第２局部発振器３５７の発振出力ｆ１２を中間周波信号に混合して、上記中間周波信号を直交検波することによりＩ成分とＱ成分とに分離する。上記受信ミキサ３５４により検波されたＩ成分とＱ成分は、ローパスフィルタ２５８，２５９を介してＡ／Ｄ変換器３６０，３６１に供給され、Ａ／Ｄ変換器３６０，３６１により、それぞれの成分のデジタルデータＩD，ＱDに変換される。第１のローパスフィルタ２５８は、ｍ個のサブキャリアによるマルチキャリア信号を通過させるのに適した通過帯域幅のフィルタである。また、第２のローパスフィルタ２５９は、ｊ個のサブキャリアによるマルチキャリア信号を通過させるのに適した通過帯域幅のフィルタである。
高速フーリエ変換回路３６２は、上記Ａ／Ｄ変換器３６０から供給されるデジタルデータＩD，ＱDに対して、最大のサブキャリア数と等しいｍ点（ここでは３２点）の離散フーリエ変換処理を行い、ｍシンボルのパラレルデータを生成する。並列／直列変換回路３６４は、高速フーリエ変換回路２５９から供給されるｍシンボルのパラレルデータを１系列のシリアルデータに変換し、このシリアルデータを判定・選択回路３８０に供給する。
また、高速フーリエ変換回路３６３は、上記Ａ／Ｄ変換器３６１から供給されるデジタルデータＩD，ＱDに対して、ｊ点（ここでは８点）の離散フーリエ変換処理を行い、ｊシンボル（８シンボル）のパラレルデータを生成する。並列／直列変換回路３６５は、高速フーリエ変換回路３６３から供給されるｊシンボルのパラレルデータを１系列のシリアルデータに変換し、このシリアルデータを判定・選択回路３８０に供給する。
判定・選択回路３８０は、各並列／直列変換回路２５９，２６０から供給される２系統のシリアルデータついて、正しい受信データであると思われるデータがいずれの系統のシリアルデータであるかを判定して、その判定した系統のシリアルデータを受信データとして選択して、上記基地局装置１５のＭＭＡＣチャンネルコーディング／デコーディング部１５ｄ等に相当するデータ処理部３８０に供給する。
ここで、第１のローパスフィルタ３５８から並列／直列変換回路３６４までの系で処理される信号と、第２のローパスフィルタ３５９から並列／直列変換回路３６５までの系で処理される信号について説明する。
第１のローパスフィルタ２５８を通過する信号は、図１７Ａに示すように、ｍ個（ここでは３２個）のサブキャリアｓｃ１〜ｓｃ３２によるマルチキャリア信号であり、受信信号の帯域幅ｆｗ１は、３２サブキャリア分の帯域幅である。第１のローパスフィルタ３５８は、この帯域の信号を通過させるフィルタであり、第１のローパスフィルタ３５８の通過帯域の２倍の帯域が受信信号の帯域幅ｆｗ１になっている。
また、第２のローパスフィルタ３５９を通過する信号は、図１７Ｂに示すように、ｊ個（ここでは８個）のサブキャリアｓｃ１’〜ｓｃ８’によるマルチキャリア信号であり、受信信号の帯域幅ｆｗ２は、８サブキャリア分の帯域幅である。第２のローパスフィルタ３５９はこの帯域の信号を通過させるフィルタであり、第２のローパスフィルタ３５９の通過帯域の２倍の帯域が受信信号の帯域幅ｆｗ２になっている。この第２のローパスフィルタ３５９の通過帯域は、ｍ個（ここでは３２個）のサブキャリアｓｃ１〜ｓｃ３２のうちのｊ個（ここでは８個）のサブキャリアｓｃ１’〜ｓｃ８’によるマルチキャリア信号を通過させるものであれば、その中心周波数は任意に設定できるのであるが、システム設計上、サブキャリアｓｃ１〜ｓｃ３２によるマルチキャリア信号のキャリアセンター周波数Ｆｃを中心周波数として、±Δを通過帯域とするのがよい。
また、上記基地局装置３５０における送信処理系では、上記データ処理部３８０から供給される送信データ（シリアルデータ）を直列／並列変換回路３７１によりｍ本のパラレルデータに変換する。逆フーリエ変換回路３７２は、このｍ本のパラレルデータに対してｍ点の逆離散フーリエ変換を行い、直交する時間軸のデジタルベースバンドデータＩD，ＱDを得る。このベースバンドデータＩD，ＱDをＤ／Ａ変換器３７３でアナログ化することにより、Ｉ成分及びＱ成分のアナログ信号を得る。
上記Ｄ／Ａ変換器３７３からＩ成分及びＱ成分の信号が供給される直交変調器３７４は、第２局部発振器３５７の発振出力ｆ１２を搬送波として上記Ｉ成分及びＱ成分の信号で直交変調する。上記直交変調器３７４で直交変調された信号は、送信ミキサ３７５で局部発振器３５５の発振出力ｆ１１が混合されることにより、送信周波数帯の信号に周波数変換される。この周波数変換された信号は、パワーアンプ３７６により増幅され、アンテナスイッチ３５２を介してアンテナ３５１から端末装置１６に対して無線送信される。
この基地局装置３５０は、上記受信ミキサ３５４により検波されたＩ成分とＱ成分について、ｍ個のサブキャリアによるマルチキャリア信号を通過させるのに適した通過帯域幅の第１のローパスフィルタ２５８と、ｊ個のサブキャリアによるマルチキャリア信号を通過させるのに適した通過帯域幅の第２のローパスフィルタ２５９により、帯域制限してから復調処理を行うようにした点において、上述の図１４に示した基地局装置１５０と相違している。
このように構成した基地局装置３５０を用いることたことで、通信端末装置１６からの上がり回線の低速アクセスの受信処理と、高速アクセスの受信処理との双方が行え、いずれの方式の端末装置１６にも対応することができる。この場合、それぞれのサブキャリア数の信号の受信処理を、それぞれ伝送帯域幅に適したローパスフィルタ３５８，３５９を通過させて処理するようにしたので、それぞれのサブキャリア数に適した通過帯域幅に制限された受信信号から復調処理が行え、それぞれのサブキャリア数のデータの復調処理が感度よく良好に行える。特に、低速アクセス時に受信信号の通過帯域を狭くして処理するので、無駄な雑音電力や妨害波を取り除くことができ、受信感度を高めることができる。このように基地局装置１５側での受信処理が感度よく行えるようになることで、端末装置１６側のパワーアンプの負担を軽減することができ、端末装置１６で送信に要する電力を低減することが可能になる。また、帯域外の妨害波を効率よく除去でき、この点からも受信感度を向上させることが可能になる。
ここで、受信感度の改善効果について説明する。受信感度Ｐｓ（例えばビット誤り率１％のとき）は以下の式で表すことができる。
Ｐｓ＝Ｃ／Ｎ［ｄＢ］＋ｋＴＢＦ［ｄＢ］
ここで、のＣ／Ｎはビット誤り率１％のときのキャリアレベルＣと雑音レベルＮの比で、各サブキャリアの変調方式で決まる値で、サブキャリア数には基本的には依存しない。ｋはボルツマン定数、Ｔは絶対温度で常温ではｋＴ＝１７４ｄＢｍ／Ｈｚとなる。Ｆは受信機の雑音指数（ＮＦ）である。Ｂは受信機の雑音帯域幅であり、ベースバンドで帯域制限をかける場合はローパスフィルタの通過域の２倍の値となる。ここで、図１７に示したように、Ｂの値をサブキャリアを減らすことで１／４にできた場合には、他のパラメータは同じなので、Ｐｓも１／４すなわち６ｄＢ低く設定することができる。これは、感度を６ｄＢ良くしたことになる。感度を６ｄＢ改善できるということは、端末装置１６側の送信電力を６ｄＢ下げても良いことに相当する。
なお、ここではｍ個のサブキャリア数として３２個とし、ｊ個のサブキャリア数を８個としたが、ｍ＞ｊの関係が満たされるサブキャリア数であれば、これに限定されない。例えばｊ個のサブキャリア数は１個として、いわゆるシングルキャリア信号としても良い。
また、この基地局装置３５０では、それぞれの帯域幅の２個のローパスフィルタを設ける構成としたが、帯域幅を可変設定できる１個のローパスフィルタを設けて、その１個のローパスフィルタの出力を、受信データのサブキャリア数に応じた可変処理できる構成として、ローパスフィルタの通過帯域幅を、受信データのサブキャリア数に対応して変化させる構成としても良い。特に、予め低速アクセスと高速アクセスのいずれのアクセスであるかが判っている場合には、ローパスフィルタ，Ａ／Ｄ変換器，高速フーリエ変換回路，並列／直列変換回路の系を１系統だけ設けて、それぞれの回路での処理を、そのときのに受信するサブキャリア数に対応して変化させる構成とすれば良い。
なお、上述した実施の形態では、ＭＭＡＣの無線通信システムに適用した例としたが、本発明の処理は、他の各種データ通信システムに適用できることは勿論である。
【図１】
0004081821.tif 000002
【図２】
0004081821.tif 000003
【図３】
0004081821.tif 000004
【図４】
0004081821.tif 000005
【図５】
0004081821.tif 000006
【図６】
0004081821.tif 000007
【図７】
0004081821.tif 000008
【図８】
0004081821.tif 000009
【図９】
0004081821.tif 000010
【図１０】
0004081821.tif 000011
【図１１】
0004081821.tif 000012
【図１２】
0004081821.tif 000013
【図１３】
0004081821.tif 000014
【図１４】
0004081821.tif 000015
【図１５】
0004081821.tif 000016
【図１６】
0004081821.tif 000017
【図１７Ａ】
0004081821.tif 000018
【図１７Ｂ】
0004081821.tif 000019